(57)【要約】【課題】  光の照射角度を集中することができ、光の利用効率を高めることができるランプシェードを提供する。【解決手段】  本発明のランプシェードは、ランプシェード本体及びランプシェード本体両側の組付部を含み、ランプシェード本体は、対向する出光面と入光面を含むとともに、断面において前記出光面と前記入光面の間に位置する光線屈折領域を含み、前記ランプシェードは、光の照射角度を集中することができ、かつ押出成形によって一体的に長尺状に形成されるので成形方向の長さが制限されず、前記光線屈折領域の両側に弧状の屈折面が形成される光の照射角度を集中可能なランプシェードを提供する。前記光線屈折領域の両側の厚さは各組付部の厚さよりも大きく、前記ランプシェード本体を通過した光線は、前記弧状の屈折面を経由することで屈折を生じ、集光して前記光線屈折領域から射出される。【選択図】図１
2019212596.tif 000002
【特許請求の範囲】
【請求項１】
対向する出光面と入光面を含み、断面において前記出光面と前記入光面の間に位置する光線屈折領域を含み、前記光線屈折領域の両側に弧状の屈折面が形成されるランプシェード本体と、
前記ランプシェード本体の両側に設けられる２つの組付部と、を含み、
前記ランプシェードは、光の照射角度を集中することができ、かつ押出成形によって一体的に長尺状に形成されるので成形方向の長さが制限されず、
前記光線屈折領域の両側の厚さは、各組付部の厚さよりも大きく、
前記ランプシェード本体を通過した光線は、前記弧状の屈折面を経由することで屈折を生じ、集光して前記光線屈折領域から射出されることを特徴とする光の照射角度を集中可能なランプシェード。
【請求項２】
前記光線屈折領域は、対向する出光面と屈折面を含み、前記屈折面は突出面であることを特徴とする請求項１に記載の光の照射角度を集中可能なランプシェード。
【請求項３】
前記光線屈折領域の前記屈折面には凹溝が設けられていることを特徴とする請求項２に記載の光の照射角度を集中可能なランプシェード。
【請求項４】
前記光線屈折領域の前記出光面は、弧面又は曲面であることを特徴とする請求項２に記載の光の照射角度を集中可能なランプシェード。
【請求項５】
前記光線屈折領域の前記出光面は、平直面であることを特徴とする請求項２に記載の光の照射角度を集中可能なランプシェード。
【請求項６】
前記光線屈折領域の前記屈折面は、弧面又は曲面であることを特徴とする請求項２に記載の光の照射角度を集中可能なランプシェード。
【請求項７】
各組付部は対向する外側面と内側面を含み、
前記外側面は、前記光線屈折領域の前記出光面に連なって平滑面を形成することを特徴とする請求項２に記載の光の照射角度を集中可能なランプシェード。
【請求項８】
前記外側面は、前記光線屈折領域の前記出光面に連なって平面、曲面又は弧面を形成することを特徴とする請求項７に記載の光の照射角度を集中可能なランプシェード。
【請求項９】
各組付部は、前記光線屈折領域の側方から延伸する嵌挿条であることを特徴とする請求項１に記載の光の照射角度を集中可能なランプシェード。 
【発明の詳細な説明】
【技術分野】
【０００１】
本発明はランプシェードに関し、特に、光の照射角度を集中可能なランプシェードに関する。
【背景技術】
【０００２】
日常生活において、照明機器はなくてはならない重要な器具である。ランプについていえば、過去には蛍光灯やハロゲンランプが一般的であった。一方で、発光ダイオード（Ｌｉｇｈｔ−Ｅｍｉｔｔｉｎｇ  Ｄｉｏｄｅ，ＬＥＤ）には長寿命、低消費電力、小体積、耐振といった利点があり、且つ破損しにくいことから、使用者にとっては比較的安全である。そのため、近年では発光ダイオードを光源として応用したランプの人気がますます高まっている。
【０００３】
ＬＥＤ光源で提供される照明は様々な照明器具構造に応用可能であるが、その大多数が平面照明器具や管状照明器具となる。平面照明器具には導光板が内蔵されており、側辺の発光ダイオード光源から発せられた光を上方へ屈折させることで平面の光束を発生させる。また、管状照明器具は、発光ダイオード光源の発光面が外側に向かって直接発光する。且つ、管状照明器具のランプシェードは曲面となっているが、外寸に規制や基準が存在することから、発光ダイオードの発光面とランプシェードとの間隔は良好に設計されているとはいえず、視覚的又は効率的に劣るとの問題が生じ得る。
【０００４】
間隔が短すぎる場合、ランプシェードの正面には発光ダイオードの熱量が過度に集中してホットスポット（ｈｏｔｓｐｏｔ）が発生する一方、ランプシェードの側面では輝度が不均一となってハレーション（ムラ）や暗区が出現する結果、照明器具における発光の均一性や発光範囲に影響が及んでしまう。また、間隔が長すぎる場合には、照明器具の外寸が大きくなり、光強度が不足するとの問題が存在することから、より多数の発光ダイオードを追加せねばならず、コストが高騰してしまう。そこで、外観上の欠点及び発光の均一性のいずれにおいても、従来の照明器具は構造の改良が必要とされている。
【０００５】
また、従来のランプシェードは大多数が射出成形により製造されているが、射出成形の場合には長さに制限がある。そのため、線形のランプシェードについては複数の射出成形部材を連結して形成するしかなく、製造コストの高騰、作業時間の長時間化といった問題が生じてしまう。
【０００６】
従来のランプシェードを開示する文献として下記の特許文献１が挙げられる。特許文献１に開示のランプシェードは、発光ユニットを備えた少なくとも１つの収容スロットと少なくとも１つの位置決め手段を有する基板と、前記基板の前記表面を覆うところの透光性を有する弾性カバーと、前記収容スロットに収容され、その両端を折り曲げて形成した２つのピボット部を有し、前記２つのピボット部が前記基板に回動可能に接続される少なくとも１つの支持部材と、固定部と、第１端部と、第２端部を有する連係部材と、を備えており、前記固定部は前記第１端部と前記第２端部との間に配置され、且つ前記固定部は前記支持部材に固定され、前記連係部材は前記位置決め手段に移動可能に配置されると同時に、前記連係部材は前記支持部材を動かすよう構成されている。
【先行技術文献】
【特許文献】
【０００７】
【特許文献１】特開２０１６−２０１３５０号公報
【発明の概要】
【発明が解決しようとする課題】
【０００８】
上記特許文献１に開示のランプシェードは、シンプルで革新的なデザインを有するので、スペース節約及び組み立て容易性に優れており、使用時に楽しみをもたらすものであるが、光の照射方向が広がっているので、光が不要な部分にまで光が到達してしまうことがあり、同時に、明るくしたい部分が十分に明るくならないという問題があった。
【課題を解決するための手段】
【０００９】
上記の課題に鑑みて、本発明は、ランプシェード本体及び２つの組付部を含み、ランプシェード本体は、対向する出光面と入光面を含むとともに、断面において前記出光面と前記入光面の間に位置する光線屈折領域を含み、かつ光の照射角度を集中することができ、かつ押出成形によって一体的に長尺状に形成されるので成形方向の長さが制限されず、前記光線屈折領域の両側に弧状の屈折面が形成され、前記光線屈折領域の両側の厚さは各組付部の厚さよりも大きく、前記ランプシェード本体を通過した光線は、前記弧状の屈折面を経由することで屈折を生じ、集光して前記光線屈折領域から射出される光の照射角度を集中可能なランプシェードを提供する。
【００１０】
上記の光の照射角度を集中可能なランプシェードにおける好ましい実施形態によれば、前記光線屈折領域は、対向する出光面と屈折面を含み前記屈折面は突出面である。
【００１１】
上記の光の照射角度を集中可能なランプシェードにおける好ましい実施形態によれば、前記光線屈折領域の前記屈折面には凹溝が設けられている。
【００１２】
上記の光の照射角度を集中可能なランプシェードにおける好ましい実施形態によれば、前記光線屈折領域の前記出光面は弧面又は曲面である。
【００１３】
上記の光の照射角度を集中可能なランプシェードにおける好ましい実施形態によれば、前記光線屈折領域の前記出光面は平直面である。
【００１４】
上記の光の照射角度を集中可能なランプシェードにおける好ましい実施形態によれば、前記光線屈折領域の前記屈折面は弧面又は曲面である。
【００１５】
上記の光の照射角度を集中可能なランプシェードにおける好ましい実施形態によれば、各組付部は対向する外側面と内側面を含み、前記外側面は、前記光線屈折領域の前記出光面に連なって平滑面を形成する。
【００１６】
上記の光の照射角度を集中可能なランプシェードにおける好ましい実施形態によれば、前記外側面は、前記光線屈折領域の前記出光面に連なって平面、曲面又は弧面を形成する。
【００１７】
上記の光の照射角度を集中可能なランプシェードにおける好ましい実施形態によれば、各組付部は、前記光線屈折領域の側方から延伸する嵌挿条である。
【００１８】
以上述べたように、本発明における光の照射角度を集中可能なランプシェードによれば、前記ランプシェード本体を通過した光線は、前記弧状の屈折面を経由することで屈折を生じ、集光して前記光線屈折領域から射出される。また、光の照射角度を集中可能なランプシェードでは、ランプシェード本体の断面を中央が広く両側が薄くなるよう設けることで、ランプシェード本体を通過した光線を屈折させて集光し、光線屈折領域から射出させられる。これにより、光の照射角度が集中する結果、照明を必要とする場所の光量を向上させつつ、照明が不要な場所の光害が回避されるため、光の利用効率が高まる。
【００１９】
このほか、本発明における光の照射角度を集中可能なランプシェードは、ランプシェード本体が一体的に押出成形されて長尺状をなすことから長さが制限されない。よって、従来の射出成形ランプシェード又はその他の組立式ランプシェードと比較して、連結不要との利点を実現可能である。このことから、組立手順を別途実施する必要がなくなり、且つ、長さ要求の違いに応じてランプを所望の長さに切断可能となるため、低コスト及び高生産効率が達成されるとともに、線形ランプやその他線形照明器具への適用が可能となる。
【図面の簡単な説明】
【００２０】
【図１】本発明に基づく光の照射角度を集中可能なランプシェードの一実施例の斜視図である。
【図２】本発明に基づく光の照射角度を集中可能なランプシェードの一実施例の断面図である。
【図３】本発明に基づく光の照射角度を集中可能なランプシェードの一実施例の応用図である。
【発明を実施するための形態】
【００２１】
以下に、当業者が十分に本発明の技術内容を理解及び実施可能となるよう、実施形態内で本発明の詳細な特徴及び利点について詳述する。本明細書で開示する内容、請求項及び図面より、当業者であれば本創造にかかる目的及び利点を容易に理解可能である。
【００２２】
本発明における光の照射角度を集中可能なランプシェードでは、前記ランプシェード本体を通過した光線が前記弧状の屈折面を経由することで屈折を生じ、集光して前記光線屈折領域から射出される。また、光の照射角度を集中可能なランプシェードは、ランプシェード本体が一体的に押出成形されて長尺状をなすことから成形方向の長さが制限されない。よって、従来の射出成形ランプシェード又はその他の組立式ランプシェードと比較して、連結不要との利点を実現可能である。このことから、組立手順を別途実施する必要がなくなり、且つ、長さ要求の違いに応じてランプを所望の長さに切断可能となるため、低コスト及び高生産効率が達成されるとともに、線形ランプやその他線形照明器具への適用が可能となる。
【００２３】
図１〜図３を参照する。図１は、本発明に基づく光の照射角度を集中可能なランプシェードの一実施例の斜視図である。図２は、本発明に基づく光の照射角度を集中可能なランプシェードの一実施例の断面図である。図３は、本発明に基づく光の照射角度を集中可能なランプシェードの一実施例の応用図である。本発明は、ランプシェード１００を提供する。
【００２４】
図１〜図３を参照して、本発明のランプシェード１００は長尺状のランプシェード本体１を含む。前記ランプシェード本体１は、ガラス又はプラスチックを一体的に押出成形してなる。ここで、押出成形（Ｅｘｔｒｕｓｉｏｎ）によるランプシェード本体１は、一定の断面形状の物体となるよう一種類の材料から作製される。一実施例では、プラスチックを加熱した後に、設計済みの金型に押し込むことでランプシェード本体１を一体的に押出成形すればよい。ランプシェード本体１を押出成形により加工製造する場合には、加工が容易且つ低コストとの利点がある。例えば、ランプシェード１００は、射出成形ランプシェード又はその他の組立式ランプシェードと比較して、連結不要との利点を実現可能である。このことから、組立手順を別途実施する必要がなくなり、且つ、長さ要求の違いに応じてランプを所望の長さに切断可能となるため、低コスト及び高生産効率が達成されるとともに、線形ランプやその他線形照明器具への適用が可能となる。
【００２５】
例えば、本発明のランプシェード本体１は、ポリメタクリル酸メチル樹脂（Ｐｏｌｙｍｅｔｈｙｌｍｅｔｈａｃｒｙｌａｔｅ）、ポリイミド（Ｐｏｌｙｉｍｉｄｅ）、ポリエチレンテレフタラート（Ｐｏｌｙｅｔｈｙｌｅｎｅ  ｔｅｒｅｐｈｔｈａｌａｔｅ）又はポリカーボネート（ＰＣ，ｐｏｌｙｃａｒｂｏｎａｔｅ）材料を押出成形してなる押出レンズである。
【００２６】
一実施例において、ランプシェード本体１は長尺状をなしている。また、ランプシェード本体１は、対向する出光面１１１と入光面１１２を含む。ランプシェード本体１は断面視において、光線屈折領域１１及び光線屈折領域１１の両側に一体的に結合された２つの組付部１２を含む。ランプシェード１００は、線形ランプ又はその他の各種線形照明器具に応用可能である。一例を挙げると、ランプシェード１００は２つの組付部１２を介してアルミカバー（図示しない）に結合されて中空の管体を形成可能である。或いは、図２に示すように、ランプシェード１００は２つの組付部１２を介して筐体３０に組み付けてもよい。本実施例において、各組付部１２は前記光線屈折領域の側方から延伸する嵌挿条１２１であって、筐体３０の対応する穴に嵌挿されることで筐体３０と結合する。また、ランプシェード１００には発光ユニット（例えば、ＬＥＤランプボード、ハロゲンランプ又は赤外線ランプ）を設けてもよい。光源は光線を射出可能であり、これが光線屈折領域１１を通過して光を発する結果、照明効果が達せられる。
【００２７】
図３を参照して、一実施例において、ランプシェード本体１の光線屈折領域１１における屈折面１１３は突出面とすればよい。例えば、ここでは凸状の弧面とするが本実施例はこれに限らず、光線屈折領域１１の屈折面１１３は、多角面、曲面又はその他不規則形状の突出面としてもよく、製品の違いに応じて異なる集光角度を発生させられればよい。
【００２８】
図３を参照して、一実施例において、組付部１２は対向する外側面１２２と内側面１２３を含む。外側面１２２は、良好な発光効果が達せられるよう、前記光線屈折領域１１の出光面１１１に連なって平滑面を形成可能である。また、前記光線屈折領域の両側には、弧状の屈折面が形成されている。例えば、図３の実施例では、光線屈折領域１１の出光面１１１を平直面とし、外側面１２２もまた平直面として、光線屈折領域１１の出光面１１１に連ねることで平面を形成可能としている。ただし、本実施例はこれに限らず、外側面１２２は前記光線屈折領域１１の出光面１１１に連なって平滑な曲面又は弧面を形成してもよい（図示しない）。
【００２９】
図２及び図３を参照して、一実施例において、前記光線屈折領域１１における２つの屈折面１１３の間には発光ユニット４０を収容するための凹溝２０が設けられている。例えば、図２の実施例において、発光ユニット４０は筐体３０に装着されている。且つ、発光ユニット４０はランプボードであって、複数の発光チップ４１を具備可能である。発光チップ４１は凹溝２０に収容可能なことから、発光チップ４１から光線が発せられた場合、光線はランプシェード本体１の光線屈折領域１１に対し直接入射可能である。これにより、光線の散逸が回避されて、光の利用効率が更に向上する。
【００３０】
図３を参照して、ランプシェード本体１の断面において、光線屈折領域１１の厚さは各組付部１２の厚さよりも大きくなっている。換言すると、本発明のランプシェード１００は、断面の厚さが同一である従来のランプシェードとは異なっている。図３の実施例において、光線はランプシェード本体１を通過する際に屈折現象を生じて集中し、中央に向けて集光する。これにより、光線屈折領域１１から光が集中して射出され、光の照射角度が集中（例えば、３０°、４０°、４５°又は６０°等の角度内で発光）する結果、照明を必要とする場所の光量を向上させつつ、照明が不要な場所の光害が回避される。そのため、光の利用効率が高まる。一例を挙げると、例えば講演会のような場合には、光線を講演者に集中して照射可能なことから、その他の聴衆に対する光線の影響が回避される。或いは、コンサートの場合には光線をステージに集中して照射することができる。
【００３１】
また、ランプシェード本体１は長尺状のため、線状の光源を集中的に形成可能なことから、面全体での発光を要する物品に適している。一例を挙げると、広告灯の場合、従来のランプシェードを通して射出される光線は集中することなく四方八方に散乱する場合があり、発光輝度が不足しやすいことから複数のランプを使用する必要があった。これに対し、本発明のランプシェード本体１は角度を集中して発光可能であり、且つ線状の光源をなしている。よって、広告灯内部の上方に設置して下方に照射するか、広告灯内部の下方に設置して上方に照射すれば、広告灯全体を明るくし、且つ、最少のランプで所望の輝度を達成可能である。
【００３２】
更に実例を挙げると、従来の画廊では、絵画の上下左右全てに複数の光源を設置しなければ絵画の全面を均一に照射できなかった。これに対し、本発明のランプシェード１００は角度を集中して発光可能であり、且つ線状の光源をなしている。よって、絵画の上方に設置して下方に照射するか、絵画の下方に設置して上方に照射すれば、絵画全体を明るくし、且つ、最少のランプで所望の輝度を達成可能である。
【００３３】
以上述べたように、本発明における光の照射角度を集中可能なランプシェードによれば、ランプシェード本体の断面を中央が広く両側が薄くなるよう設けることで、ランプシェード本体を通過した光線を屈折させて集光し、光線屈折領域から射出させられる。これにより、光の照射角度が集中する結果、照明を必要とする場所の光量を向上させつつ、照明が不要な場所の光害が回避されるため、光の利用効率が高まる。
【００３４】
当業者にとって、本発明は、主旨の本質又は必須の技術的特徴を逸脱しないその他の実施形態によっても実現可能である。本発明の範囲内又は本発明と等価の範囲内におけるあらゆる変形は、いずれも本発明に含まれる。
【符号の説明】
【００３５】
１００  ランプシェード
１      ランプシェード本体
１１    光線屈折領域
１１１  出光面
１１２  入光面
１１３  屈折面
１２    組付部
１２１  嵌挿条
１２２  外側面
１２３  内側面
２０    凹溝
３０    筐体
４０    発光ユニット
４１    発光チップ
【図１】
2019212596.tif 000003
【図２】
2019212596.tif 000004
【図３】
2019212596.tif 000005